(57)【要約】【課題】施工時間の短縮化を図れると共に、既存窓枠６ａと新規窓枠１０ａとの間の気密性及び水密性を十分に保持できる、改修用サッシ窓枠装置を実現する。【解決手段】それぞれが乾式のシール材である、１対の縦方向帯状気密片３４と、横方向帯状気密片３５と、１対の上隅角部気密片３６と、１対の上部気密片３７と、１対の下隅角部気密片３８と、横方向シールリップ３９とを、上記既存窓枠６ａと上記新規窓枠１０ａとの間に形成される矩形環状の空間３１内に全周に亙り隙間なく連続させる。そして、乾式のシールライン３２を形成する。これら各部材３４〜３９により構成されるシールライン３２は、上記新規窓枠１０ａを構成する各枠を上記既存窓枠６ａを構成する各枠に対して固定するのと同時に、これら各枠同士の間で圧縮且つ挟持されて、これら各枠同士の間を塞ぐ。【選択図】図１
2010229706.tif 000002
【特許請求の範囲】
【請求項１】
建造物の開口部の内周縁に固定された、既存上枠と既存下枠と左右の既存たて枠とから成る既存窓枠と、この既存窓枠の内側に組み付けられた、新規上枠と新規下枠と左右の新規たて枠とから成る新規窓枠と、この新規窓枠と前記既存窓枠との間の気密性及び水密性を保持する為のシール手段とを備えた改修用サッシ窓枠装置に於いて、
前記新規窓枠を構成する、前記新規上枠と前記新規下枠と前記各新規たて枠とが、前記既存窓枠を構成する、前記既存上枠と前記既存下枠と前記各既存たて枠とに対し、それぞれ個別に固定されており、
前記シール手段は、弾性を有する１乃至複数の乾式のシール材を前記既存窓枠と前記新規窓枠との間に形成される矩形環状の空間内に全周に亙り実質的に連続させて配置して成るもので、前記シール材が、前記新規窓枠を構成する各枠を前記既存窓枠を構成する各枠に対して固定するのと同時に、これら各枠同士の間で圧縮されて、これら各枠同士の間を塞ぐ機能を発揮するものである事を特徴とする改修用サッシ窓枠装置。
【請求項２】
シール材が、スポンジ状の弾性体と弾性材製のシールリップとの何れかである、請求項１に記載した改修用サッシ窓枠装置。
【請求項３】
新規上枠の長さ方向両端部と左右の新規たて枠の上端部、及び、新規下枠の長さ方向両端部とこれら各新規たて枠の下端部とが、それぞれ互いに突き合わされておらず、それぞれの端部同士の間に隙間が設けられている、請求項１〜２のうちの何れか１項に記載した改修用サッシ窓枠装置。
【請求項４】
新規上枠を構成する屋外側壁と屋内側壁との外側面同士の幅寸法が、既存上枠を構成する屋外側壁と屋内側壁との内側面同士の幅寸法、及び、左右の既存たて枠を構成する屋外側壁と屋内側壁との内側面同士の幅寸法よりもそれぞれ僅かに小さく、前記新規上枠の長さ方向両端部が前記各既存たて枠の内側にそれぞれ入り込んでいる、請求項１〜３のうちの何れか１項に記載した改修用サッシ窓枠装置。
【発明の詳細な説明】
【技術分野】
【０００１】
この発明は、一般家屋や集合住宅等の建造物の開口部に設けた窓装置を新規構造のものに改修する際、この開口部の内周に固定されている既存の窓枠の内側に新規の窓枠を組み付ける、改修用サッシ窓枠装置の改良に関する。具体的には、施工時間の短縮化を図れると共に、前記既存の窓枠と前記新規の窓枠との間の気密性及び水密性を十分に保持できる、改修用サッシ窓枠装置を実現するものである。
【背景技術】
【０００２】
アルミニウム合金製の押し出し型材を組み合わせて成る窓装置が、従来から広く使用されている。図２２は、この様な窓装置の１例を示している。図示の例の構造の場合、窓枠１の内側に１対のガラス障子２ａ、２ｂを、引き違い式に建て込んでいる。このうちの窓枠１は、上辺を構成する上枠３と、下辺を構成する下枠４と、左右の縦辺を構成するたて枠５、５とにより、矩形に構成している。これら各枠３、４、５は、それぞれアルミニウム合金の押し出し型材製である。又、前記両ガラス障子２ａ、２ｂは、それぞれの下辺部に設けた各戸車を、前記下枠４の上面に設けた下部案内レールに係合させると共に、上端部に設けたガイドブロックと前記上枠３に設けた上部案内レールとを係合させる事により、前記窓枠１の内側に、水平移動自在に建て込んでいる。
【０００３】
例えば上述の様な窓装置が古くなったり、或いは、防音性能や気密性能等に問題を生じる事により、新規の窓装置に交換する場合、工期の短縮、工事費等の低減等を目的として、古い（既存の）窓枠１を利用して、新規窓枠を組み付ける構造が、従来から数多く提案されている。例えば特許文献１〜３には、既存の窓枠の内側に、新規の窓枠を構成する各枠をそれぞれ個別に固定する構造が記載されている。図２３〜２５は、このうちの特許文献１に記載された、従来構造の１例を示している。
【０００４】
図示の例の場合、既存窓枠６は、既存上枠７と既存下枠８と左右の既存たて枠９、９とを矩形枠状に組み合わせて成り、建造物の開口部の内周縁に予め（建造物の建設時に）固定されている。一方、前記新規窓枠１０は、新規上枠１１と新規下枠１２と左右の新規たて枠１３、１３とから成り、これら各枠１１〜１３は、互いに連結する事なく（予め矩形枠状には組み合わせずに）、前記既存窓枠６の内側にそれぞれ個別に固定されている。
【０００５】
具体的には、前記新規上枠１１を前記既存上枠７の下面に、前記新規下枠１２を前記既存下枠８の上面に、前記各新規たて枠１３、１３を前記各既存たて枠９、９の内側面に、それぞれ複数のタッピングねじにより結合固定している。特に、前記従来構造の場合には、前記新規窓枠１０の開口面積を大きく確保するべく、前記新規窓枠１０を構成する各枠１１〜１３を、前記既存窓枠６を構成する各枠７〜９に対してそれぞれ固定する以前に、これら各枠７〜９から上部案内レールや下部案内レール等を、施工現場にて切削除去している。
【０００６】
又、前記従来構造の場合には、前記既存窓枠６の内側に前記新規窓枠１０を組み付けた後、前記新規上枠１１の長さ方向両端部と前記各新規たて枠１３、１３の上端部との突き合わせ部、及び、前記新規下枠１２の長さ方向両端部とこれら各新規たて枠１３、１３の下端部との突き合わせ部に、それぞれ湿式のシール材（シーリング材、コーキング材）を充填している。これにより、前記各突き合わせ部を通じて、前記既存窓枠６と前記新規窓枠１０との間に、外気や雨水等の水分が侵入する事を防止し、これら既存窓枠６と新規窓枠１０との間の気密性及び水密性を保持している。
【０００７】
ところで、既存窓枠と新規窓枠との間の気密性及び水密性を保持する為のシール手段としては、上述した従来構造の場合の様に、新規窓枠１０を構成する各枠１１〜１３同士の突き合わせ部に湿式のシール材を充填する構造の他、既存窓枠と新規窓枠との間に湿式のシール材を充填する構造も従来から考えられている。但し、これら既存窓枠と新規窓枠との間の気密性及び水密性を保持する為に、湿式のシール材を用いる場合には、長時間の乾燥時間が必要になる等、施工時間が長くなる事が避けられない。更に、湿式のシール材を用いたシーリング作業には熟練を要する為、作業者の熟練度によっては、施工時間が著しく長くなったり、気密性及び水密性を十分に保持できなくなる可能性もある。
【０００８】
これに対して、近年、改修工事の対象となる建造物の住民の時間的負担を軽減する等の理由から、施工時間の短縮に関する要求は高まりつつある。この為、短時間で施工できると共に、既存窓枠と新規窓枠との間の気密性及び水密性を十分に保持できる、改修用サッシ窓枠装置の実現が望まれている。
【先行技術文献】
【特許文献】
【０００９】
【特許文献１】特開平１０−３０３７７号公報
【特許文献２】特開２００１−１９３３５９号公報
【特許文献３】特開２００８−３０８９５７号公報
【発明の概要】
【発明が解決しようとする課題】
【００１０】
本発明は、上述の様な事情に鑑みて、施工時間の短縮化を図れると共に、既存窓枠と新規窓枠との間の気密性及び水密性を十分に保持できる、改修用サッシ窓枠装置を実現すべく発明したものである。
【課題を解決するための手段】
【００１１】
本発明の改修用サッシ窓装置は、前述した従来構造の改修用サッシ窓枠装置と同様に、既存窓枠と、新規窓枠と、シール手段とを備える。
このうちの既存窓枠は、建造物の開口部の内周縁に固定されており、既存上枠と、既存下枠と、左右の既存たて枠とから成る。
又、前記新規窓枠は、前記既存窓枠の内側に組み付けられており、新規上枠と、新規下枠と、左右の新規たて枠とから成る。
更に、前記シール手段は、前記新規窓枠と前記既存窓枠との間の気密性及び水密性を保持する。
【００１２】
特に、本発明の改修用サッシ窓枠装置に於いては、前記新規窓枠を構成する、前記新規上枠と前記新規下枠と前記各新規たて枠とを、前記既存窓枠を構成する、前記既存上枠と前記既存下枠と前記各既存たて枠とに対し、それぞれ個別に固定している。
又、前記シール手段を、弾性を有する１乃至複数の乾式のシール材を、前記既存窓枠と前記新規窓枠との間に形成される矩形環状の空間内に、全周に亙り実質的に連続させて配置する事により構成している。更に、前記シール材を、前記新規窓枠を構成する各枠を前記既存窓枠を構成する各枠に対して固定するのと同時に、これら各枠同士の間で圧縮されて、これら各枠同士の間を塞ぐ機能を発揮するものとしている。
【００１３】
上述した様な本発明の改修用サッシ窓枠装置を実施する場合には、例えば請求項２に記載した発明の様に、前記シール材を、ＣＲスポンジ等のスポンジ状の弾性体と、エラストマー等の弾性材製のシールリップとの何れかとする（部分的に使い分ける場合を含む）。
【００１４】
又、本発明を実施する場合に、例えば請求項３に記載した様に、前記新規上枠の長さ方向両端部と前記左右の新規たて枠の上端部、及び、前記新規下枠の長さ方向両端部とこれら各新規たて枠の下端部とを、それぞれ互いに突き合わせる事なく、それぞれの端部同士の間に隙間を設ける。
【００１５】
更に、本発明を実施する場合に、例えば請求項４に記載した様に、前記新規上枠を構成する屋外側壁と屋内側壁との外側面（互いに反対側の面）同士の幅寸法（見込み寸法）を、前記既存上枠を構成する屋外側壁と屋内側壁との内側面（互いに対向する面）同士の幅寸法（内々寸法）、及び、前記各既存たて枠を構成する屋外側壁と屋内側壁との内側面同士の幅寸法（内々寸法）よりも、それぞれ僅かに小さくする。そして、前記新規上枠の長さ方向両端部を、前記各既存たて枠の内側にそれぞれ入り込ませる。
【発明の効果】
【００１６】
上述の様に構成する本発明によれば、施工時間の短縮化を図れると共に、既存窓枠と新規窓枠との間の気密性及び水密性を十分に保持できる、改修用サッシ窓枠装置を実現できる。
先ず、本発明の場合には、前記既存窓枠と前記新規窓枠との間の気密性及び水密性を保持する為のシール手段として、湿式のシール材を使用せず、乾式のシール材を使用する為、シールの乾燥時間が不要になり、施工時間の短縮化を図れる。
又、本発明の場合には、前記既存窓枠を構成する各枠に対して前記新規窓枠を構成する各枠を固定する作業と、これら各枠同士の間を塞ぐ作業とを同時に行える。この為、前記新規窓枠を組み付けた後にシーリング作業を行う必要のある、湿式のシール材を用いた場合に比べて、施工時間を大幅に短縮できる。
尚、本発明の場合には、前記乾式のシール材を、前記既存窓枠を構成する各枠と前記新規窓枠を構成する各枠との間で圧縮且つ挟持した状態で、この新規窓枠を構成する各枠を前記既存窓枠を構成する各枠に対して固定する必要がある。但し、この様な作業は、例えば両面テープ等の接着手段を利用して、前記乾式のシール材を前記既存窓枠を構成する各枠に対して予め貼着しておく事を考慮したとしても、湿式のシール材を用いたシーリング作業に比べて十分に短時間で行える。
【００１７】
更に、本発明の場合には、乾式のシール材を使用する為、湿式のシール材を使用した場合の様に、作業に熟練を要しない。特に、本発明の場合には、上述した様に、前記乾式のシール材を、前記既存窓枠を構成する各枠と前記新規窓枠を構成する各枠との間で圧縮且つ挟持した状態で、これら新規窓枠を構成する各枠を前記既存窓枠を構成する各枠に対して固定する必要があるが、この様な作業は、上述した様な両面テープ等の接着手段を利用する事により、作業者の熟練度を問わず容易に行える。従って、本発明の場合には、作業者の熟練度に左右される事なく、前記既存窓枠と前記新規窓枠との間の気密性及び水密性を十分に保持する事ができる。
【００１８】
更に、請求項３に記載した発明の場合には、前記新規窓枠の組み付け作業の作業性の向上を図れる。即ち、この新規窓枠を構成する各枠の端部同士を突き合わせる構成を採用した場合には、前記既存窓枠に歪み等の変形を生じていた場合に、前記新規窓枠を構成する各枠を組み込みにくくなり、作業性が低下する。これに対して、前記請求項３に記載した発明の場合には、この様な不都合を解消できる。従って、この請求項３に記載した発明によれば、前記新規窓枠の組み付け作業の作業性を向上する事ができて、施工時間の更なる短縮化を図れる。又、雨水等の水分を、新規下枠の長さ方向両端部と左右の新規たて枠の下端部との間部分に設けた隙間を通じて、既存下枠の上面に導く事ができる為、この既存下枠に設けられた排水構造をそのまま利用できる。
更に、請求項４に記載した発明の場合には、新規上枠の長さ方向両端部と左右の既存たて枠との間に、目立つ程の隙間が形成される事を防止できる。この為、改修用サッシ窓枠装置の意匠性の向上を図れる。
【図面の簡単な説明】
【００１９】
【図１】本発明の実施の形態の１例を示す、図２２のＡ−Ａ断面に相当する図。
【図２】同じく図１のＣ−Ｃ断面図。
【図３】同じく図１のＤ−Ｄ断面図。
【図４】同じく各気密片を省略して示す図１と同様の図。
【図５】同じく各気密片を省略して示す図２と同様の図。
【図６】同じく各気密片を省略して示す図３と同様の図。
【図７】同じく既存上枠及び既存たて枠と新規上枠とを取り出して示す、（Ａ）は図１の上端部に、（Ｂ）は図２の右端部に、それぞれ相当する図。
【図８】同じく比較例として示す図７と同様の図。
【図９】同じく縦方向帯状気密片の取付工程を説明する為に要部を取り出して示す、（Ａ）は図１の上端部に、（Ｂ）は図２の右端部に、それぞれ相当する図。
【図１０】同じく横方向帯状気密片の取付工程を説明する為に示す、図９と同様の図。
【図１１】同じく上隅角部気密片の取付工程を説明する為に示す、図９と同様の図。
【図１２】同じく新規上枠の取付工程を説明する為に示す、図９と同様の図。
【図１３】同じく上部気密片の取付工程を説明する為に示す、図９と同様の図。
【図１４】同じく新規上枠を省略して既存窓枠の上隅角部を屋内側から見た略斜視図。
【図１５】同じく下隅角部気密片の取付工程を説明する為に要部を取り出して示す、（Ａ）は図１の下端部に、（Ｂ）は図３の右端部に、それぞれ相当する図。
【図１６】同じく既存窓枠の下隅角部を屋内側から見た略斜視図。
【図１７】同じく新規たて枠の取付工程を説明する為に示す、図９と同様の図。
【図１８】同じく新規下枠の取付工程を説明する為に示す、図１５と同様の図。
【図１９】新規上枠の別例を示す、図２の右端部に相当する図。
【図２０】新規上枠の別の３例を示す、図１の上端部に相当する図。
【図２１】既存上枠の別例を示す、図１の上端部に相当する図。
【図２２】一般的な窓装置を屋内側から見た状態で示す略正面図。
【図２３】従来から知られている改修用サッシ窓枠装置の１例を示す、図２２のＡ−Ａ断面に相当する図。
【図２４】同じくＢ−Ｂ断面に相当する図。
【図２５】同じく新規窓枠を構成する各枠の分解斜視図。
【発明を実施するための形態】
【００２０】
［実施の形態の１例］
図１〜１８は、本発明の実施の形態の１例を示している。尚、本例の改修用サッシ窓枠装置の特徴は、各図に鎖線で示した既存窓枠６ａと、各図に実線で示した新規窓枠１０ａとの間に形成される矩形環状の空間３１内に、乾式のシールライン３２を全周に亙り実質的に（外気や雨水の吹き込みを実用上問題ない程僅少に抑えられる程度に）連続させて形成した点にある。その他の部分の基本的な構成及び作用・効果に就いては、前記図２３〜２５に示した従来構造の場合とほぼ同じである。この為、重複する説明は簡略若しくは省略する。以下、先に説明しなかった部分、並びに、前記従来構造と相違する部分を中心に、本例の改修用サッシ窓枠装置を構成する前記既存窓枠６ａと前記新規窓枠１０ａとの構成を、図４〜８を参照しつつ、それぞれ説明した後、残りの図面を参照して、本例の特徴部分を説明する。
【００２１】
本例の改修用サッシ窓枠装置は、前記既存窓枠６ａの内側に前記新規窓枠１０ａを組み付けて成る。このうちの既存窓枠６ａは、それぞれがアルミニウム合金の押し出し型材製である、既存上枠７ａと、既存下枠８ａと、左右の既存たて枠９ａ、９ａとを、周知のタッピングねじによる結合構造により、矩形枠状に組み合わせて成る。この様な既存窓枠６ａは、建造物の開口部の内周縁に、予め（建造物の建設時に）固定されている。本例の場合には、この様な既存窓枠６ａから上部案内レール（既存上部案内レール４２ａ、４２ｂ）や下部案内レール（既存下部案内レール１９ａ、１９ｂ）等を切削除去する事なく、前記既存窓枠６ａを既存状態のまま用いている。
【００２２】
又、前記新規窓枠１０ａは、それぞれがアルミニウム合金の押し出し型材製である、新規上枠１１ａと、新規下枠１２ａと、左右の新規たて枠１３ａ、１３ａとから成る。この様な新規窓枠１０ａは、前記新規上枠１１ａを前記既存上枠７ａの下面に、前記新規下枠１２ａを前記既存下枠８ａの上面に、前記各新規たて枠１３ａ、１３ａを前記各既存たて枠９ａ、９ａの内側面に、それぞれ個別に結合固定する事により、前記既存窓枠６ａの内側に組み付けられている。
【００２３】
具体的には、前記新規上枠１１ａの上面に設けられた１対の上部突き当て突条１４、１４を、前記既存上枠７ａの下面にそれぞれ突き当てた状態で、複数の上部タッピングねじ１５、１５を用いて、前記新規上枠１１ａを前記既存上枠７ａに直接結合固定している。同様に、前記各新規たて枠１３ａ、１３ａの外側面に設けられた１対の側部突き当て突条１６、１６を、前記各既存たて枠９ａ、９ａの内側面にそれぞれ突き当てた状態で、複数の側部タッピングねじ１７、１７を用いて、前記各新規たて枠１３ａ、１３ａを前記各既存たて枠９ａ、９ａに直接結合固定している。
【００２４】
これに対して、前記新規下枠１２ａは、断面略コ字形の下部アタッチメント１８を介して、前記既存下枠８ａに結合固定している。この為に、この下部アタッチメント１８を、この既存下枠８ａの上面に設けられた１対の既存下部案内レール１９ａ、１９ｂのうちの屋内側の既存下部案内レール１９ｂに、第一下部タッピングねじ２０を用いて固定している。そして、前記新規下枠１２ａを、前記下部アタッチメント１８の上面及び屋外側の既存下部案内レール１９ａ上に載置した状態で、第二、第三下部タッピングねじ２０ａ、２０ｂを用いて、前記下部アタッチメント１８及び前記屋外側の既存下部案内レール１９ａに、それぞれ固定している。
【００２５】
尚、本例の場合には、前記下部アタッチメント１８を、前記屋内側の既存下部案内レール１９ｂに固定する際に、前記屋外側の既存下部案内レール１９ａの存在が作業性を低下させる原因になる。この為、この屋外側の既存下部案内レール１９ａには、前記第一下部タッピングねじ２０の締結作業を行う為の工具を挿入自在な、屋内外方向に貫通する複数の通孔（図示省略）を形成している。又、本例の場合には、前記新規下枠１２ａと、網戸用下部案内レール２１とを別体として、この網戸用下部案内レール２１を前記屋外側の既存下部案内レール１９ａに対して、前記第二下部タッピングねじ２０ｂを用いて固定している。これに対して網戸用上部案内レール２２は、前記新規上枠１１ａに一体に設けられている。
【００２６】
又、本例の場合には、前記既存窓枠６ａの内側に前記新規窓枠１０ａを組み付けた状態で、前記新規上枠１１ａの長さ方向両端部と前記各新規たて枠１３ａ、１３ａの上端部とを互いに突き合わせずに、これら両端部同士の間に、それぞれ上部隙間２３を設けている。同様に、前記新規下枠１２ａの長さ方向両端部と前記各新規たて枠１３ａ、１３ａの下端部とに関しても、互いに突き合わせる事なく、これら両端部同士の間に、それぞれ下部隙間２４、２４を設けている。この様な隙間２３、２４を設ける事によって、本例の場合には、前記新規窓枠１０ａの組み付け作業（各枠１１ａ〜１３ａの固定作業）の作業性の向上を図っている。例えば前記図２３〜２５に示した従来構造の場合の様に、新規窓枠１０を構成する各枠１１〜１３の端部同士を突き合わせる場合、既存窓枠６に歪み変形等が生じていた場合には、これら各枠１１〜１３を組み込みにくくなり、作業性が低下する。これに対して、本例の場合には、この様な不都合を解消できる為、前記新規窓枠１０ａの組み付け作業の作業性を向上する事ができて、施工時間の短縮化を図れる。更に、雨水等の水分を、前記各下部隙間２４、２４を通じて、前記既存下枠８ａの上面に導く事ができる為、この既存下枠８ａに設けられた排水構造をそのまま利用できる。
【００２７】
更に、本例の場合には、図７に示す様に、前記新規上枠１１ａを構成する屋外側壁２５と屋内側壁２６との外側面同士の幅寸法（見込み寸法）Ｈ11a を、前記既存上枠７ａを構成する屋外側壁２７と屋内側壁２８との内側面同士の幅寸法（内々寸法）ｈ7a、及び、前記各既存たて枠９ａを構成する屋外側壁２９と屋内側壁３０との内側面同士の幅寸法（内々寸法）ｈ9aよりも僅かに小さくしている（Ｈ11a ＜ｈ7a、ｈ9a）。そして、前記新規上枠１１ａの長さ寸法（Ｌ11a ）を、前記既存窓枠６ａの内法開口幅（Ｗ6a）よりも少しだけ大きくして（Ｌ11a ＞Ｗ6a）、前記新規上枠１１ａの長さ方向両端部を前記各既存たて枠９ａの内側に、それぞれ入り込ませている。この様な構成により、前記新規上枠１１ａの長さ方向両端部と前記各既存たて枠９ａとの間に、外観を悪くする程に目立つ隙間が形成される事を防止して、改修用サッシ窓枠装置の意匠性の向上を図っている。
【００２８】
例えば図８に比較例を示す様に、前記新規上枠１１ａの見込み寸法Ｈ11a´が、前記既存上枠７ａ及び前記各既存たて枠９ａの内々寸法ｈ7a´、ｈ9a´よりも大きいか同じ（図示の例では、新規上枠１１ａの見込み寸法Ｈ11a´と、既存上枠７ａ及び各既存たて枠９ａの見込み寸法Ｈ7a、Ｈ9aとが同じ）場合、前記新規上枠１１ａを前記既存上枠７ａに対して固定する為には、この新規上枠１１ａの長さ方向両端縁と前記各既存たて枠９ａの内側縁との間に、屋内外方向から見える様な、目立つ隙間を設ける必要がある。そして、この様な隙間を残したままにすれば、改修用サッシ窓枠装置の意匠性が低下する恐れがある。又、気密及び水密保持の為に前記隙間を塞ぐ必要上、前記新規上枠１１ａを前記既存上枠７ａに固定した後、この隙間をシール材等により塞ぐ必要があり、施工時間が長くなる原因になる。これに対して、本例の場合には、この様な不都合が生じる事を防止できる。
【００２９】
特に本例の場合には、以上の様な構成を有する前記既存窓枠６ａと前記新規窓枠１０ａとの間の気密性及び水密性を保持する為に、これら両窓枠６ａ、１０ａ同士の間に形成される矩形環状の空間３１内に乾式のシールライン３２を、全周に亙り実質的に連続させた状態で形成している。本例の場合には、この様なシールライン３２を、屋内外方向に関して、前記新規窓枠１０ａの内側に建て込まれる、１対の引戸障子３３ａ、３３ｂ同士の間部分に形成している。
【００３０】
前記シールライン３２は、それぞれが特許請求の範囲に記載した乾式のシール材に相当する、１対の縦方向帯状気密片３４、３４と、横方向帯状気密片３５と、１対の上隅角部気密片３６と、１対の上部気密片３７（屋外側上部気密片４５及び屋内側上部気密片４６）と、１対の下隅角部気密片３８、３８と、横方向シールリップ３９とから成る。このうちの各気密片３４〜３８は何れも、ＣＲスポンジ等の独立気泡体であり、前記横方向シールリップ３９は、エラストマー等の弾性材製である。尚、これら弾性材製のシールリップとスポンジ状の気密片とは、使用部分によって、適宜使い分ける事ができる。尚、各図には、前記各気密片３４〜３８の自由状態での形状を示しており、このうちの図２の右端部には前記上部気密片３７を、同じく左端部には前記上隅角部気密片３６を、それぞれ省略して示している。
【００３１】
前記各縦方向帯状気密片３４、３４は、帯状で、前記各既存たて枠９ａ、９ａの内側面の屋内外方向中間部に設けられた側部平坦面部４０、４０に、両面テープ等の接着手段により、それぞれ貼着されている。この様な前記各縦方向帯状気密片３４、３４は、前記各新規たて枠１３ａ、１３ａを前記各既存たて枠９ａ、９ａに固定すると同時に、前記各側部平坦面部４０、４０と、前記各新規たて枠１３ａ、１３ａの外側面の屋内外方向中間部に設けられた側部突条４１、４１の先端縁との間で、それぞれ圧縮且つ挟持される。これにより、前記各既存たて枠９ａ、９ａの内側面と前記各新規たて枠１３ａ、１３ａの外側面との間部分の空間を、屋内外方向中間部で塞いでいる。
【００３２】
又、前記横方向帯状気密片３５は、帯状で、その長さ方向両端部を前記各縦方向帯状気密片３４、３４の上端部にそれぞれ実質的に連続させた（近接対向若しくは突き当てた）状態で、前記既存上枠７ａの下面に、両面テープ等の接着手段により貼着されている。より具体的には、前記横方向帯状気密片３５は、前記既存上枠７ａの下面のうちで、屋内外方向に離隔した状態で設けられた１対の既存上部案内レール４２ａ、４２ｂ同士の間部分に存在する上部平坦面部４３に貼着されている。この様な前記横方向帯状気密片３５は、前記新規上枠１１ａを前記既存上枠７ａに固定すると同時に、前記上部平坦面部４３とこの新規上枠１１ａの上面の屋内外方向中間部に設けられた上部突条４４の上端縁との間で圧縮且つ挟持される。これにより、前記既存上枠７ａの下面と前記新規上枠１１ａの上面との間部分の空間を、屋内外方向の中間部で塞いでいる。尚、この為に、この新規上枠１１ａの上面からの前記上部突条４４の突出量を、この上部突条４４の両側に設けられた前記上部突き当て突条１４、１４の突出量よりも少しだけ（前記横方向帯状気密片３５の自由状態での厚さ寸法よりも少ない分だけ）小さくしている。
【００３３】
又、前記各上隅角部気密片３６は、自由状態での形状が直方体状であり、前記各縦方向帯状気密片３４、３４の上端部及び前記横方向帯状気密片３５の長さ方向端部をそれぞれ覆う状態で、前記既存窓枠６ａの上隅角部（既存上枠７ａと既存たて枠９ａ、９ａとの連結部の内側）に、それぞれ設けられている。本例の場合、前記各上隅角部気密片３６は、前記各既存たて枠９ａ、９ａの上端部内側面に、両面テープ等の接着手段により、それぞれ貼着されている。この様な前記各上隅角部気密片３６は、前記新規上枠１１ａを前記既存上枠７ａに固定すると同時に、前記各既存たて枠９ａ、９ａの上端部内側面と前記新規上枠１１ａの長さ方向両端縁部との間で圧縮且つ挟持される。これにより、前記既存窓枠６ａの上隅角部と前記新規上枠１１ａの長さ方向両端部との間部分の空間を、屋内外方向中間部で塞いでいる。尚、本例の場合には、前記各縦方向帯状気密片３４、３４と前記横方向帯状気密片３５とを、前記各上隅角部気密片３６により覆っているが、これら各縦方向帯状気密片３４、３４を後述する上部気密片３７に、前記横方向帯状気密片３５を前記各上隅角部気密片３６に実質的に連続させても良い。
【００３４】
又、前記各上部気密片３７は、それぞれが対となる屋外側上部気密片４５と屋内側上部気密片４６とから成る。これら屋外側、屋内側両上部気密片４５、４６は、前記各縦方向帯状気密片３４、３４の上端寄り部分を覆うと共に、それぞれの上端面を前記各上隅角部気密片３６の下端面に実質的に連続させた（近接対向若しくは突き当てた）状態で、前記各既存たて枠９ａ、９ａの上端寄り部分の内側面に、両面テープ等の接着手段により、それぞれ貼着されている。又、前記屋外側、屋内側両上部気密片４５、４６は、この様に貼着された状態で、前記新規上枠１１ａの下面の屋内外方向中央部に設けられた新規上部案内レール４７を両側から挟持している。この様な前記屋外側、屋内側両上部気密片４５、４６は、前記各新規たて枠１３ａ、１３ａを前記各既存たて枠９ａ、９ａに固定すると同時に、これら各既存たて枠９ａ、９ａの上端寄り部分の内側面と前記各新規たて枠１３ａ、１３ａの上端部外側面との間で圧縮且つ挟持される。これにより、これら各新規たて枠１３ａ、１３ａの上端部と前記新規上枠１１ａの長さ方向両端部との間部分に形成された前記各上部隙間２３の、屋内外方向中間部を塞いでいる。
尚、前記各上隅角部気密片３６、３６と前記上部気密片３７とは、新規上部案内レール４７を挟持する間隔を設けた状態で、一体としても良い。
【００３５】
又、前記各下隅角部気密片３８、３８は、自由状態での形状が直方体状であり、それぞれの側面を前記各縦方向帯状気密片３４、３４の下端部側面に実質的に連続させた（近接対向若しくは突き当てた）状態で、前記既存窓枠６ａの下隅角部（既存下枠８ａと既存たて枠９ａ、９ａとの連結部の内側）に、それぞれ設けられている。本例の場合、前記各下隅角部気密片３８、３８は、前記既存下枠８ａの長さ方向両端部上面のうち、前記両既存下部案内レール１９ａ、１９ｂ同士の間部分に、両面テープ等の接着手段により、それぞれ貼着されている。この様な前記各下隅角部気密片３８、３８は、前記新規下枠１２ａを前記既存下枠８ａに固定すると同時に、この既存下枠８ａの長さ方向端部寄り部分の上面と前記新規下枠１２ａの長さ方向端部下面との間で圧縮且つ挟持されると共に、この新規下枠１２ａの下面に形成された垂下壁部４８の長さ方向端部と前記各既存たて枠９ａ、９ａの下端部内側面との間で圧縮且つ挟持される。更に、前記各下隅角部気密片３８、３８は、前記各新規たて枠１３ａ、１３ａを前記各既存たて枠９ａ、９ａに固定すると同時に、前記既存下枠８ａの長さ方向端部上面と前記各新規たて枠１３ａ、１３ａの下端面（側部突条４１の下端面を含む部分）との間で圧縮且つ挟持される。これにより、前記既存窓枠６ａの下隅角部と前記各新規たて枠１３ａ、１３ａの下端部との間部分の空間を、屋内外方向中間部で塞ぐ共に、前記新規下枠１２ａの長さ方向両端部とこれら各新規たて枠１３ａの下端部との間部分に形成された、前記各下部隙間２４、２４の屋内外方向中間部を塞いでいる。
【００３６】
更に、前記横方向シールリップ３９は、前記新規下枠１２ａの下面に、この新規下枠１２ａの全長に亙り設けられている。具体的には、この新規下枠１２ａの下面に設けられた前記垂下壁部４８の屋外側面に、その基端部を支持されている。この様な前記横方向シールリップ３９は、前記新規下枠１２ａを前記既存下枠８ａに固定すると同時に圧縮され、その先端縁をこの既存下枠８ａの長さ方向中間部上面に弾性的に接触させた状態で、この既存下枠８ａの上面と前記新規下枠１２ａの下面との間に配設される。又、前記横方向シールリップ３９の長さ方向両端部は、前記各下隅角部気密片３８、３８の側面に、それぞれ実質的に連続する（近接対向若しくは突き当てられる）。これにより、前記既存下枠８ａの上面と前記新規下枠１２ａの下面との間部分の空間を、屋内外方向の中間部で塞いでいる。
【００３７】
又、本例の場合には、前記横方向シールリップ３９の先端部を、先端側に向かう程屋外側に傾斜させている。この様な構成により、排水性の向上を図っている。即ち、屋外側から屋内側に向けて吹き付ける風によって、前記横方向シールリップ３９が屋内側に捲れる事を防止すると共に、前記既存下枠８ａの上面を屋内側から屋外側に向けて流れる排水を、前記横方向シールリップ３９によって堰き止める事を防止している。
【００３８】
以上の様な構成により、本例の場合には、前記既存窓枠６ａと前記新規窓枠１０ａとの間に形成される矩形環状の空間３１内に、前記各気密片３４〜３８と前記横方向シールリップ３９とから成る乾式のシールライン３２を、全周に亙り隙間なく形成している。従って、本例の場合には、この様なシールライン３２によって、前記既存窓枠６ａと前記新規窓枠１０ａとの間の気密性及び水密性を保持している。
以下、上述の様な構成を有する本例の改修用サッシ窓枠装置の組立手順に就いて、主に図９〜１７を参照しつつ、順番に説明する。
【００３９】
先ず、準備工程として、前記既存窓枠６ａの内側から、図示しない１対の既存の引戸障子を取り外す。次いで、この既存窓枠６ａを構成する既存上枠７ａの下面、既存下枠８ａの上面、及び、左右の既存たて枠９ａ、９ａの内側面を、それぞれ脱脂洗浄する。この様な準備工程を終えた後は、先ず、図９に示す様に、１対の縦方向帯状気密片３４を、前記各既存たて枠９ａの内側面のうちの側部平坦面部４０に対して、両面テープ等の接着手段により、それぞれ貼着する。次いで、図１０に示す様に、横方向帯状気密片３５を、その長さ方向両端部を前記各縦方向帯状気密片３４の上端部にそれぞれ実質的に連続させた状態で、前記既存上枠７ａの下面のうちの上部平坦面部４３に対して、やはり両面テープ等の接着手段により貼着する。この様にして、前記各縦方向帯状気密片３４及び前記横方向帯状気密片３５を貼着した後に、図１１に示す様に、１対の上隅角部気密片３６を、前記各縦方向帯状気密片３４の上端部及び前記横方向帯状気密片３５の長さ方向端部をそれぞれ覆う状態で、前記既存窓枠６ａの上隅角部に取り付ける。具体的には、前記各上隅角部気密片３６を、両面テープ等の接着手段により、前記各既存たて枠９ａの上端部内側面に貼着する。
【００４０】
その後、図１２に示す様に、新規上枠１１ａを前記既存上枠７ａの下面に、複数の上部タッピングねじ１５、１５を用いて固定する。これにより、前記新規上枠１１ａの上面に設けられた上部突条４４と、前記既存上枠７ａの下面に設けられた上部平坦面部４３との間で、前記横方向気密片３５を圧縮且つ挟持すると共に、前記新規上枠１１ａの長さ方向両端部側面（上部突条４４の端面を含む部分）と、前記各既存たて枠９ａの上端部内側面との間で、前記各上隅角部気密片３６を圧縮且つ挟持する。これにより、前記既存上枠７ａの下面と前記新規上枠１１ａの上面との間部分の空間の屋内外方向中間部を塞ぐと共に、前記既存窓枠６ａの上隅角部とこの新規上枠１１ａの長さ方向両端部との間部分の空間の屋内外方向中間部を塞ぐ。言い換えれば、前記既存窓枠６ａと前記新規窓枠１０ａとの間に形成される矩形環状の空間３１のうちの上辺を塞ぐ。
【００４１】
特に本例の場合には、前記新規上枠１１ａの見込み寸法（Ｈ11a ）を、前記各既存たて枠９ａの内々寸法（ｈ9a）よりも小さくしている為、前記新規上枠１１ａの固定作業は、次の様にして行える。先ず、この新規上枠１１ａを、上下方向に傾斜させた状態で、前記既存上枠７ａに下方から近づけ、上方に位置する長さ方向一端部を、一方の既存たて枠９ａの内側に比較的大きく進入させる。そして、前記新規上枠１１ａの長さ方向一端部側面を、一方の上隅角部気密片３６の側面に押し付けて、この一方の上隅角部気密片３６を大きく弾性変形させる。その後、前記新規上枠１１ａが水平になるまで長さ方向他端部を上方に持ち上げて、この長さ方向他端部側面を他方の上隅角部気密片３６の側面に対向させる。次いで、前記新規上枠１１ａを、この他方の上隅角部気密片３６側に移動させて（やりくりして）、この他方の上隅角部気密片３６を弾性変形させる。そして、前記一方と他方の上隅角部気密片３６の弾性変形量（つぶし量）をほぼ同じとした後、前記各上部タッピングねじ１５、１５を用いて、前記新規上枠１１ａを前記既存上枠７ａに対して固定する。
【００４２】
上述の様にして、前記新規上枠１１ａを前記既存上枠７ａに固定した後は、図１３、１４に示す様に、１対の上部気密片３７を構成する屋外側上部気密片４５及び屋内側上部気密片４６を、前記各縦方向帯状気密片３４の上端寄り部分を覆うと共に、それぞれの上端面を前記各上隅角部気密片３６の下端面に実質的に連続させた（近接対向若しくは突き当てた）状態で、前記各既存たて枠９ａの上端寄り部分の内側面に、両面テープ等の接着手段によりそれぞれ貼着する。次いで、図１５、１６に示す様に、１対の下隅角部気密片３８を、それぞれの側面を前記各縦方向帯状気密片３４の下端部側面に実質的に連続させた（近接対向若しくは突き当てた）状態で、前記既存下枠８ａの長さ方向両端部上面に、両面テープ等の接着手段により、それぞれ貼着する。
【００４３】
その後、図１７に示す様に、前記各新規たて枠１３ａを複数の側部タッピングねじ１７、１７を用いて前記各既存たて枠９ａの内側面に固定する。これにより、前記各既存たて枠９ａの内側面に設けられた側部平坦面部４０と、前記各新規たて枠１３ａの外側面に設けられた側部突条４１の先端縁との間で、前記各縦方向帯状気密片３４を圧縮且つ挟持すると共に、前記各既存たて枠９ａの上端寄り部分の内側面と前記各新規たて枠１３ａの上端部外側面との間で、前記各上部気密片３７（屋外側上部気密片４５及び屋内側上部気密片４６）を圧縮且つ挟持する。更に、図１８に示す様に、前記既存下枠８ａの長さ方向両端部上面と前記各新規たて枠１３ａの下端面との間で、前記各下隅角部気密片３８を圧縮且つ挟持する。これにより、前記各既存たて枠９ａの内側面と前記各新規たて枠１３ａの外側面との間部分の空間の屋内外方向中間部を塞ぐと共に、これら各新規たて枠１３ａの上端部と前記新規上枠１１ａの長さ方向両端部との間部分に形成された前記各上部隙間２３、２３の屋内外方向中間部を塞ぐ。更に、前記既存窓枠６ａの下隅角部と前記各新規たて枠１３ａの下端部との間部分の空間を塞ぐ。言い換えれば、前記既存窓枠６ａと前記新規窓枠１０ａとの間に形成される矩形環状の空間３１のうちの両縦辺を塞ぐ。
【００４４】
そして最後に、図１８に示す様に、新規下枠１２ａを複数の下部タッピングねじ２０、２０ａ、２０ｂを用いて前記既存下枠８ａの上面に固定する。この様な作業を行う以前に、この新規下枠１２ａの下面に形成された垂下壁部４８に、横方向シールリップ３９の基端部を支持しておく事は勿論である。この様にして前記新規下枠１２ａを前記既存下枠８ａに固定する事により、前記横方向シールリップ３９を圧縮すると同時に、その先端縁をこの既存下枠８ａの上面に弾性的に接触させた状態で、この既存下枠８ａの上面と前記新規下枠１２ａの下面との間に配設する。更に、前記横方向シールリップ３９の長さ方向両端部を、前記各下隅角部気密片３８の側面にそれぞれ実質的に連続させる（近接対向若しくは突き当てる）。又、前記既存下枠８ａの長さ方向両端寄り部分の上面と前記新規下枠１２ａの長さ方向両端部下面との間で、前記各下隅角部気密片３８を圧縮且つ挟持する。これにより、前記既存下枠８ａの上面と前記新規下枠１２ａの下面との間部分の空間の屋内外方向中間部を塞ぐと共に、この新規下枠１２ａの長さ方向両端部と前記各新規たて枠１３ａの下端部との間部分に形成された前記各下部隙間２４、２４の屋内外方向中間部を塞ぐ。言い換えれば、前記既存窓枠６ａと前記新規窓枠１０ａとの間に形成される矩形環状の空間３１のうちの下辺を塞ぐ。
以上の様な工程により本例の改修用サッシ窓枠装置の施工を完了し、その後、前記新規窓枠１０ａの内側に、新規の引戸障子３３ａ、３３ｂをそれぞれ建て込む。尚、各図には、これら各引戸障子３３ａ、３３ｂを構成するガラスパネルは省略して示している。
【００４５】
前述した様な構成を有し、上述した様な工程を経て組み立てられる、本例の改修用サッシ窓枠装置の場合には、施工時間の短縮化を図れると共に、前記既存窓枠６ａと前記新規窓枠１０ａとの間の気密性及び水密性を十分に保持できる。
先ず、本例の場合には、前記既存窓枠６ａと前記新規窓枠１０ａとの間の気密性及び水密性を保持する為のシール手段として、前述した従来構造の場合の様な湿式のシール材を使用せず、それぞれが乾式のシール材である、前記各気密片３４〜３８と前記横方向シールリップ３９とを使用する。この為、シールの乾燥時間が不要になり、施工時間の短縮化を図れる。
【００４６】
又、本例の場合には、前記既存窓枠６ａを構成する各枠７ａ〜９ａに対して、前記新規窓枠１０ａを構成する各枠１１ａ〜１３ａを固定する作業と、これら各枠７ａ〜９ａ、１１ａ〜１３ａ同士の間部分の空間を塞ぐ作業とを同時に行える。この為、前記新規窓枠１０ａを組み付けた後にシーリング作業を行う必要のある、湿式のシール材を用いた場合に比べて、施工時間を大幅に短縮できる。尚、本例の場合には、両面テープ等の接着手段により、前記各気密片３４〜３８を前記既存窓枠６ａを構成する各枠７ａ〜９ａに対して貼着しているが、この様な貼着作業は、湿式のシール材を用いたシーリング作業に比べて十分に短時間で行える。
【００４７】
更に、本例の場合には、それぞれが乾式のシール材である、前記各気密片３４〜３８と前記横方向シールリップ３９を使用する為、湿式のシール材を使用した場合の様に、作業に熟練を要しない。即ち、本例の場合には、前記各気密片３４〜３８と前記横方向シールリップ３９とを、前記既存窓枠６ａを構成する各枠７ａ〜９ａと、前記新規窓枠１０ａを構成する各枠１１ａ〜１３ａとの間で圧縮且つ挟持した状態で、これら新規窓枠１０ａを構成する各枠１１ａ〜１３ａを前記既存窓枠６ａを構成する各枠７ａ〜９ａに対して固定する必要があるが、本例の場合には、両面テープ等の接着手段を利用して行う為、この作業は、作業者の熟練度を問わず容易に行える。従って、本例の場合には、作業者の熟練度に左右される事なく、前記既存窓枠６ａと前記新規窓枠１０ａとの間の気密性及び水密性を十分に保持する事ができる。
【００４８】
又、本例の場合には、前述した従来構造の場合の様に、前記既存窓枠６ａから既存上部案内レール４２ａ、４２ｂや既存下部案内レール１９ａ、１９ｂ等を切削除去せずに、前記既存窓枠６ａをそのまま用いている。この為、切削除去する為の作業時間を省略する事ができて、この面からも施工時間の短縮を図れる。
【産業上の利用可能性】
【００４９】
尚、上述した実施の形態の１例では、新規上枠１１ａとして、その長さ方向両端縁が直線状の構造を示したが、例えば図１９に示す様に、新規上枠１１ａとして、その長さ方向両端部の屋内外方向中間部のみを、他の部分よりも上隅角部気密片３６側に突出させたものを使用する事もできる。
【００５０】
又、上述した実施の形態の１例では、新規上枠１１ａとして、その屋外側壁２５の下端寄り部分に、網戸用上部案内レール２２を一体に設けた構造を示したが、例えば図２０の（Ａ）に示す様に、この網戸用上部案内レール２２を省略しても良い。又、前記新規上枠１１ａの下面に設けられる新規上部案内レール４７に関しても、その数は限定されず、例えば同図の（Ｂ）に示した様に、屋内外方向に離隔した状態で１対の上部案内レール４７ａ、４７ｂを設けても良い。又、同図の（Ｃ）に示す様に、（Ａ）と（Ｂ）とに示す構造を組み合わせても良い。
【００５１】
更に、前記実施の形態の１例では、既存上枠７ａとして、その下面に１対の既存上部案内レール４２ａ、４２ｂを設けた構造を示したが、例えば図２１に示す様に、下面中央部に１本の既存下部案内レール４２ｃを設けた構造に関しても、本発明の対象となる。この様な１本の既存下部案内レール４２ｃを有する既存上枠７ａを用いる場合には、新規上枠１１ａの上面に設けた２本の上部突き当て突条１４ａ、１４ｂ同士の間に、前記既存上部案内レール４２ｃを位置させる。更に、シールライン３２（横方向帯状気密片３５）に関しては、鎖線で示す様に、前記既存下部案内レール４２ｃの先端縁と前記新規上枠１１ａの上面との間で圧縮且つ挟持しても良いし、この既存下部案内レール４２ｃと屋内側壁２８との間部分に形成された上部平坦面部４３ａと、前記新規上枠１１ａの屋内側の上部突き当て突条１４ｂとの間で圧縮且つ挟持しても良い。
【符号の説明】
【００５２】
１    窓枠
２ａ、２ｂ  ガラス障子
３    上枠
４    下枠
５    たて枠
６、６ａ  既存窓枠
７、７ａ  既存上枠
８、８ａ  既存下枠
９、９ａ  既存たて枠
１０、１０ａ  新規窓枠
１１、１１ａ  新規上枠
１２、１２ａ  新規下枠
１３、１３ａ  新規たて枠
１４、１４ａ、１４ｂ  上部突き当て突条
１５    上部タッピングねじ
１６    側部突き当て突条
１７    側部タッピングねじ
１８    下部アタッチメント
１９ａ、１９ｂ、１９ｃ  既存下部案内レール
２０、２０ａ、２０ｂ  下部タッピングねじ
２１    網戸用下部案内レール
２２    網戸用上部案内レール
２３    上部隙間
２４    下部隙間
２５    屋外側壁
２６    屋内側壁
２７    屋外側壁
２８    屋内側壁
２９    屋外側壁
３０    屋内側壁
３１    空間
３２    シールライン
３３ａ、３３ｂ  引戸障子
３４    縦方向帯状気密片
３５    横方向帯状気密片
３６    上隅角部気密片
３７    上部気密片
３８    下隅角部気密片
３９    横方向シールリップ
４０    側部平坦面部
４１    側部突条
４２ａ、４２ｂ、４２ｃ  既存上部案内レール
４３、４３ａ  上部平坦面部
４４    上部突条
４５    屋外側上部気密片
４６    屋内側上部気密片
４７、４７ａ、４７ｂ  新規上部案内レール
４８    垂下壁部
【図１】
2010229706.tif 000003
【図２】
2010229706.tif 000004
【図３】
2010229706.tif 000005
【図４】
2010229706.tif 000006
【図５】
2010229706.tif 000007
【図６】
2010229706.tif 000008
【図７】
2010229706.tif 000009
【図８】
2010229706.tif 000010
【図９】
2010229706.tif 000011
【図１０】
2010229706.tif 000012
【図１１】
2010229706.tif 000013
【図１２】
2010229706.tif 000014
【図１３】
2010229706.tif 000015
【図１４】
2010229706.tif 000016
【図１５】
2010229706.tif 000017
【図１６】
2010229706.tif 000018
【図１７】
2010229706.tif 000019
【図１８】
2010229706.tif 000020
【図１９】
2010229706.tif 000021
【図２０】
2010229706.tif 000022
【図２１】
2010229706.tif 000023
【図２２】
2010229706.tif 000024
【図２３】
2010229706.tif 000025
【図２４】
2010229706.tif 000026
【図２５】
2010229706.tif 000027